(57)【要約】【課題】  ズームレバーの操作力を可変にする。【解決手段】２対の対面するソレノイドとマグネット、及びズームレバー操作角度検出手段を有し、中立位置を有して所定の支点を軸に揺動するカメラのズームレバーにおいて、  ズームレバーの角度を検出してズームレバーが常に中立位置に戻る方向にソレノイドへの電流を制御する手段、及びズームレバー操作力を制御すべくソレノイドへの電流を制御する手段を有し、未操作時は常に中立位置に戻り、操作時はカメラの所定モード又はズームレバー操作角度、あるいはカメラの所定モードとズームレバー操作角度の両方に応じてズームレバー操作力を変更可能とすることを特徴とする。【選択図】図１
2017062874.tif 000002
【特許請求の範囲】
【請求項１】
２対の対面するソレノイドとマグネット、及びズームレバー操作角度検出手段を有し、中立位置を有して所定の支点を軸に揺動するカメラのズームレバーにおいて、
ズームレバーの角度を検出してズームレバーが常に中立位置に戻る方向にソレノイドへの電流を制御する手段、及びズームレバー操作力を制御すべくソレノイドへの電流を制御する手段を有し、
未操作時は常に中立位置に戻り、操作時はカメラの所定モード又はズームレバー操作角度、あるいはカメラの所定モードとズームレバー操作角度の両方に応じてズームレバー操作力を変更可能とすることを特徴とするカメラのズームレバー。
【請求項２】
所定の支点を軸に揺動するカメラのズームレバーは、突起状の操作部材が揺動することを特徴とする請求項１に記載のカメラのズームレバー。
【請求項３】
所定の支点を軸に揺動するカメラのズームレバーは、シーソー型操作部材が揺動することを特徴とする請求項１に記載のカメラのズームレバー。
【請求項４】
ズームレバー中立位置付近のズームレバー操作力を重くし、その他の位置は中立位置付近より軽くすることを特徴とする請求項１に記載のカメラのズームレバー。
【請求項５】
動画撮影時における録画モード時はズームレバー操作力を重くし、録画待機モード時はズームレバー操作力を軽くすることを特徴とする請求項１に記載のカメラのズームレバー。
【請求項６】
動画モード時はズームレバー操作力を重くし、静止画モード時はズームレバー操作力を軽くすることを特徴とする請求項１に記載のカメラのズームレバー。
【発明の詳細な説明】
【技術分野】
【０００１】
本発明は、カメラのズームレバー機構に関する。
【背景技術】
【０００２】
従来、中立点を有して所定の支点を軸に揺動するカメラのズームレバーにおいて、マグネットを用いて操作力を発生させたシンプルな構成のものが考案されている。
【０００３】
特許文献１は、２対の対面する同一極どうしのマグネットを用いてズームレバー操作力を発生させている。
【先行技術文献】
【特許文献】
【０００４】
【特許文献１】特開２００５−１８３０８１号公報
【発明の概要】
【発明が解決しようとする課題】
【０００５】
しかしながら、上記方法においては、以下のような課題があった。
１．未操作時、マグネット磁力のばらつきがあるため中立位置がばらついてしまうということがある。
２．ズームレバーの操作角に応じてズームレバーの操作力を変えることができないということがある。
３．カメラの各種モードに応じてズームレバーの操作力を変えることができないということがある。
【課題を解決するための手段】
【０００６】
上記の課題を解決するために、本発明に係るカメラのズームレバーは、以下のような構成とした。
１．２対の対面するソレノイドとマグネット、及びズームレバー操作角度検出手段、ズームレバー中立位置保持手段を有し、所定の支点を軸に揺動する構成とした。更にズームレバーの角度を検出してズームレバーが常に中立位置に戻る方向にソレノイドへの電流を制御する手段、及びズームレバー操作力を制御すべくソレノイドへの電流を制御する手段を導入した（請求項１）。
２．１において、所定の支点を軸に揺動するカメラのズームレバーは、突起状の操作部材が揺動する構成とした（請求項２）。
３．１において、所定の支点を軸に揺動するカメラのズームレバーは、シーソー型操作部材が揺動する構成とした（請求項３）。
４．１において、ズームレバー中立位置付近のズームレバー操作力を重くし、その他の位置は中立位置付近より軽くする構成とした（請求項４）。
５．１において、動画撮影時における録画モード時はズームレバー操作力を重くし、録画待機モード時はズームレバー操作力を軽くする構成とした（請求項５）。
６．１において、動画モード時はズームレバー操作力を重くし、静止画モード時はズームレバー操作力を軽くする構成とした（請求項６）。
【発明の効果】
【０００７】
本発明に係るカメラのズームレバーにおいては、以下のような効果がある。
１．ズームレバー未操作時は常に正確に中立位置に戻すことができる。また操作時は、カメラの所定モード又はズームレバー操作角度、あるいはカメラの所定モードとズームレバー操作角度の両方に応じてズームレバー操作力を変更可能とした。これにより、それぞれのシチュエーションに適した使いやすいズームレバー操作力設定が可能となった（請求項１、請求項２、請求項３）
２．ズームレバー中立位置付近のズームレバー操作力を重くし、その他の位置は中立位置付近より軽くする構成としたため、ズーム未操作時の誤動作を防止しつつ、操作性の良いズームレバーを実現することが可能となった（請求項４）。
３．動画撮影時における録画モード時はズームレバー操作力を重くし、録画待機モード時はズームレバー操作力を軽くする構成とした。これにより録画モード時は早いズーミングを行うことによる画像の乱れを防げるとともに、録画待機モード時は被写体を狙う際に早いズーミングを行うことで撮影チャンスを逃さないという効果がある（請求項５）。
４．動画モード時はズームレバー操作力を重くし、静止画モード時はズームレバー操作力を軽くする構成とした。これにより動画モード時は早いズーミングを行うことによる画像の乱れを防げるとともに、静止画モード時は早いズーミングを行うことによりシャッターチャンスを逃さないという効果がある（請求項６）。
【図面の簡単な説明】
【０００８】
【図１】第１の実施例によるズームレバー動作図
【図２】第１の実施例によるズームレバー回転角検出部断面図（図１におけるＡ−Ａ断面図）
【図３】第２の実施例によるズームレバー動作図
【図４】第１の実施例によるカメラのブロック図
【図５】第１の実施例によるフローチャート図
【図６】第３の実施例によるフローチャート図
【図７】第４の実施例によるフローチャート図
【発明を実施するための形態】
【０００９】
以下に、本発明の好ましい実施の形態を、添付の図面に基づいて詳細に説明する。
【００１０】
［第１の実施例］
以下、本発明による第１の実施例について説明する。最初にカメラのズームレバー機構に関して説明する。
【００１１】
図１は第１の実施例によるカメラのズームレバー動作図、図２は第１の実施例によるズームレバー回転角検出部断面図（図１におけるＡ−Ａ断面図）である。
【００１２】
図１、図２において、１０１はズームレバー（ＷＩＤＥ位置）、１０２はズームレバー（中立位置）、１０３はズームレバー（ＴＥＬＥ位置）  、１０４はソレノイド（ＷＩＤＥ側）、１０５はソレノイド（ＴＥＬＥ側）、１０６はマグネット（ＷＩＤＥ側）、１０７はマグネット（ＴＥＬＥ側）、１０８はカメラ本体外装カバーである。また、１１５は操作角度検出基板、１０９は前記操作角度検出基板１１５に配置された導通パターン、１１０は同様に前記操作角度検出基板１１５に配置された抵抗パターンである。
【００１３】
また、１１１は板金製の可動接点、１１２は可動接点１１１を熱カシメ等で固定するための接点固定ボス、１１３は基板固定部材であり、図示しない構造でカメラ本体外装カバー１０８に固定されている。更に、１１４はズームレバー１０１の回転軸である。
【００１４】
まず上記構成におけるズームレバー操作機構について説明する。ソレノイド（ＷＩＤＥ側）１０４とマグネット（ＷＩＤＥ側）１０６、及びソレノイド（ＴＥＬＥ側）１０５とマグネット（ＴＥＬＥ側）１０７はお互いに対向して配置されている。更に図のようにＭとＭ、ＳとＳ、それぞれ反発力が発生するような極になるよう、マグネット極の向き及びソレノイドへ流す電流の向きとなっている。これによりズームレバー１０１をＷＩＤＥ位置方向、ＴＥＬＥ位置方向へ動かすと、常に中立位置（ズームレバー（中立位置）１０２）に戻る方向に力が働くような構成となっている。
【００１５】
ここで未操作時は、中立位置（ズームレバー（中立位置）１０２）へ正確に戻るよう、後述するズームレバー１０１の回転角検出手段に応じてソレノイド（ＷＩＤＥ側）１０４及びソレノイド（ＴＥＬＥ側）１０５へ流す電流を制御することで、常に正確に中立位置になるよう制御されている。更に、後述するズームレバー１０１の回転角検出手段に応じてズームスピードを変える制御も行われており、いわゆる可変速ズームとなっている。
【００１６】
次に、ズームレバー回転角検出部について説明する。回転角検出接点１１１は、固定側の操作角度検出基板１１５に配置された抵抗パターン１１０と導通パターン１０９の２つを常に導通させながら回転する構成となっている。これにより上記２パターン間の抵抗が、ズームレバー１０１の回転角度に応じて変化する。よって前記抵抗値から回転角を算出することができる。
【００１７】
以下本実施例によるカメラのシステム構成、及びシーケンスについて説明する。図４は第１の実施例によるカメラのブロック図、図５は第１の実施例によるフローチャート図である。
【００１８】
図４において、２０１はレンズユニット、２０２は撮像素子、２０３はカメラ全体を制御するカメラ制御回路、２０４は画像処理回路、２０５は画像記録回路、２０６はズームレバー操作角度検出手段、２０７は動画／静止画切替スイッチである。また、２０８はソレノイド駆動回路、２０９はソレノイド、２１０はカメラ画像を記録するための録画ボタンである。
【００１９】
上記構成において、レンズユニット２０１と撮像素子２０２により得られた画像信号は、画像処理回路２０４で画像処理されて画像記録回路２０５に記録される。一方ズームレバー操作角度検出手段２０６により検出された操作角度に応じて、カメラ制御回路２０３がズームの方向とスピードを制御する。また、動画／静止画切替スイッチ２０７に応じてカメラ制御回路２０３が動画モード／静止画モード切替を行う。また、ズームレバー操作角度検出手段２０６の検出角度に応じて、カメラ制御回路２０３がソレノイド駆動回路２０８及びソレノイド２０９を制御し、ズームレバー１０１の操作力を制御する。
【００２０】
図５は本実施例におけるカメラのシーケンスを示すフローチャート図である。以下本フローに沿って動作を説明する。
【００２１】
まずズームレバー回転角検出位置が中立近傍位置かどうかを判断し（Ｓ１０２）、中立近傍位置であればズームレバー操作力が重くなるようソレノイドを制御  （Ｓ１０３）。中立近傍位置でなければズームレバー操作力が軽くなるようソレノイドを制御する（Ｓ１０４）。更にズームレバーの回転角を検出しテレ側に回転しているかどうかを判断し  （Ｓ１０５）、テレ側に回転している場合は回転角に応じたスピードでズームをテレ側に動作させる（Ｓ１０６）。テレ側に回転してない場合はＳ１０７へ進む。
【００２２】
次に、ズームレバーの回転角を検出しワイド側に回転しているかどうかを判断し  （Ｓ１０７）、ワイド側に回転している場合は回転角に応じたスピードでズームをワイド側に動作させる（Ｓ１０８）。ワイド側に回転してない場合はＳ１０２へ進む。
【００２３】
上記構成により、ズームレバー未操作時は常に正確に中立位置に保持できると同時に、ズームレバー中立位置付近のズームレバー操作力を重くし、その他の位置は中立位置付近より軽くする構成にしたため、ズーム未操作時の誤動作を防止しつつ操作性の良いズームレバーを実現することが可能となる。
【００２４】
［第２の実施例］
以下本発明による第２の実施例について説明する。図３は第２の実施例によるズームキー動作図である。
【００２５】
図３において、１１６はズームレバー（第２の実施例）、１１７はカメラ本体外装カバー（第２の実施例）である。
【００２６】
ここで、ズームレバー１１６はシーソー型のズームレバーを本発明に応用したものである。第１の実施例と異なる点は、ソレノイド１０４＿１０５とマグネット１０６＿１０７の向きが上下逆になっている点であり、その他の構成は第１の実施例と同一のため説明は省略する。
【００２７】
上記構成により、第１の実施例と同様な効果を得ることができる。
【００２８】
［第３の実施例］
以下本発明による第３の実施例について説明する。第１の実施例と異なる点はフローチャート図のみであるため、以下フローチャート図のみ説明する。
【００２９】
図６は本実施例によるカメラのシーケンスを示すフローチャート図である。以下本フローに沿って動作を説明する。なお本実施例は、動画モードになっていることが前提である。
【００３０】
動画モードにおいて、まず録画モードか録画待機モードかを判断し（Ｓ２０２）、録画待機モードであればズームレバー操作力が軽くなるようソレノイドを制御  （Ｓ２０３）。録画モードであればズームレバー操作力が重くなるようソレノイドを制御する（Ｓ２０４）。更にズームレバーの回転角を検出しテレ側に回転しているかどうかを判断し  （Ｓ２０５）、テレ側に回転している場合は回転角に応じたスピードでズームをテレ側に動作させる（Ｓ２０６）。テレ側に回転してない場合はＳ２０７へ進む。
【００３１】
次に、ズームレバーの回転角を検出しワイド側に回転しているかどうかを判断し  （Ｓ２０７）、ワイド側に回転している場合は回転角に応じたスピードでズームをワイド側に動作させる（Ｓ２０８）。ワイド側に回転してない場合はＳ２０２へ進む。
【００３２】
上記構成により、動画撮影時における録画モード時はズームレバー操作力を重くし、録画待機モード時はズームレバー操作力を軽くする構成とした。これにより録画モード時は早いズーミングを行うことによる画像の乱れを防げるとともに、録画待機モード時は被写体を狙う際に早いズーミングを行うことで撮影チャンスを逃さないという効果がある。
【００３３】
［第４の実施例］
以下本発明による第４の実施例について説明する。第１の実施例と異なる点はフローチャート図のみであるため、以下フローチャート図のみ説明する。
【００３４】
図７は本実施例によるカメラのシーケンスを示すフローチャート図である。以下本フローに沿って動作を説明する。
【００３５】
まず動画／静止画切替スイッチが静止画モードかどうかを判断し（Ｓ３０２）、静止画モードでなければ（動画モードであれば）動画モードに設定し（Ｓ３０３）、ズームレバー操作力が重くなるようソレノイドを制御  （Ｓ３０４）。静止画モードであれば静止画モードに設定し（Ｓ３０５）、ズームレバー操作力が軽くなるようソレノイドを制御する（Ｓ３０６）。
【００３６】
更にズームレバーの回転角を検出しテレ側に回転しているかどうかを判断し  （Ｓ３０７）、テレ側に回転している場合は回転角に応じたスピードでズームをテレ側に動作させる（Ｓ３０８）。テレ側に回転してない場合はＳ３０９へ進む。次に、ズームレバーの回転角を検出しワイド側に回転しているかどうかを判断し  （Ｓ３０９）、ワイド側に回転している場合は回転角に応じたスピードでズームをワイド側に動作させる（Ｓ３１０）。ワイド側に回転してない場合はＳ３０２へ進む。
【００３７】
上記構成により、動画モード時はズームレバー操作力を重くし、静止画モード時はズームレバー操作力を軽くする構成とした。これにより動画モード時は早いズーミングを行うことによる画像の乱れを防げるとともに、静止画モード時は早いズーミングを行うことによりシャッターチャンスを逃さないという効果がある。
【符号の説明】
【００３８】
１０１  ズームレバー（ＷＩＤＥ位置）（第１の実施例）、
１０２  ズームレバー（中立位置）（第１の実施例）、
１０３  ズームレバー（ＴＥＬＥ位置）（第１の実施例）、
１０４  ソレノイド（ＷＩＤＥ側）、１０５  ソレノイド（ＴＥＬＥ側）、
１０６  マグネット（ＷＩＤＥ側）、１０７  マグネット（ＴＥＬＥ側）、
１０８  カメラ本体外装カバー（第１の実施例）、１０９  導通パターン、
１１０  抵抗パターン、１１１  可動接点、１１２  接点固定ボス、
１１３  基板固定部材、１１４  回転軸、１１５  操作角度検出基板、
１１６  ズームレバー（第２の実施例）、
１１７  カメラ本体外装カバー（第２の実施例）、２０１  レンズユニット、
２０２  撮像素子、２０３  カメラ制御回路、２０４  画像処理回路、
２０５  画像記録回路、２０６  ズームレバー操作角度検出手段、
２０７  動画／静止画切替スイッチ、２０８  ソレノイド駆動回路、
２０９  ソレノイド、２１０  録画ボタン
【図１】
2017062874.tif 000003
【図２】
2017062874.tif 000004
【図３】
2017062874.tif 000005
【図４】
2017062874.tif 000006
【図５】
2017062874.tif 000007
【図６】
2017062874.tif 000008
【図７】
2017062874.tif 000009